(57)【要約】【課題】面ヒーターの熱が設置面に伝わって逃げるのを防止することにより、電力消費量を少なくし、電気代を安価に抑えることができる小動物等飼育用ヒーターを提供する。【解決手段】小動物等飼育用ヒーター１は、シート状の面ヒーター４にコネクター５を介して電源コード６が接続されたヒーター本体２と、前記面ヒーター４の下面に全面にわたって貼設される耐熱性を有する断熱シート３とから成るもので、前記断熱シート３として、架橋発泡ポリエチレンなどの発泡材が用いられている。【選択図】図１
0003193527.tif 000002
【実用新案登録請求の範囲】
【請求項１】
シート状の面ヒーターにコネクターを介して電源コードが接続されたヒーター本体と、前記面ヒーターの下面に貼設される耐熱性を有する断熱シートとから成る小動物等飼育用ヒーター。
【請求項２】
前記面ヒーターは、上下に重ねられた耐熱性を有する合成樹脂製の絶縁フィルム間に面状発熱体が設けられたものである請求項１に記載された小動物等飼育用ヒーター。
【請求項３】
前記断熱シートは、架橋発泡ポリエチレンなどの発泡材により構成されている請求項１に記載された小動物等飼育用ヒーター。
【請求項４】
請求項１〜３のいずれかに記載された小動物等飼育用ヒーターであって、前記面ヒーターおよび面ヒーターの下面に貼設された前記断熱シートは熱伝導性を有するケース体により覆われてなる小動物等飼育用ヒーター。
【考案の詳細な説明】
【技術分野】
【０００１】
この考案は、小動物や小鳥を飼育するための飼育用の容器やかごの内部を加温したり、観賞魚を入れた水槽内の水を加温したりして、小動物等を飼育するのに用いられる小動物等飼育用ヒーターに関する。
【背景技術】
【０００２】
従来、その種のヒーターとして、発熱源に面状発熱体を用いたものがある。図７に示すヒーターは、シート状の面ヒーター１００に合成樹脂製のコネクター１０１を介して電源コード１０２が電気接続されたものである。電源コード１０２の先端には商用電源のコンセントに差し込まれるプラグ１０３が装着されている。
【０００３】
前記の面ヒーター１００は、例えば、電気抵抗値が温度上昇に応じて大きくなる特性（一般に「ＰＴＣ特性」という。）をもつ面状発熱体１０４を有する発熱部分１００Ａと、発熱部分１００Ａの発熱温度を判別するための第２の面状発熱体（図示せず）を有する検温部分１００Ｂとが、絶縁シート上に領域を分けて設けられている（例えば、特許文献１参照）。
【０００４】
上記した小動物等飼育用ヒーターを使用する場合、図８に示すように、床、台などの設置面Ｐ上に面ヒーター１００をセットし、面ヒーター１００上に飼育用の容器、かご、水槽などを載置する。次に、プラグ１０３をコンセントに差し込んで面ヒーター１００へ通電すると、面状発熱体１０４が発熱する。面状発熱体１０４は設定温度に維持され、飼育用の容器やかごの内部、水槽内の水などが、飼育する小動物、小鳥、観賞魚などに応じた適温に温められる。
【先行技術文献】
【特許文献】
【０００５】
【特許文献１】特許第４０３６８５９号公報
【考案の概要】
【考案が解決しようとする課題】
【０００６】
上記した小動物等飼育用ヒーターでは、面ヒーター１００が設置面Ｐに面接触しているので、面ヒーター１００の熱が設置面Ａに伝わって逃げる。このため、面ヒーター１００の表面温度が低下し、面状発熱体１０４は設定温度を維持するための発熱動作を行う結果、電力消費量が増し、電気代が高くつくという問題がある。
【０００７】
この考案は、上記問題に着目してなされたもので、面ヒーターの熱が設置面に伝わって逃げるのを防止することにより、電力消費量を少なくし、電気代を安価に抑えることができる小動物等飼育用ヒーターを提供することを目的とする。
【課題を解決するための手段】
【０００８】
この考案による小動物等飼育用ヒーターは、シート状の面ヒーターにコネクターを介して電源コードが接続されたヒーター本体と、前記面ヒーターの下面に貼設される耐熱性を有する断熱シートとから成る。
【０００９】
上記した構成の小動物等飼育用ヒーターにおいては、設置面上に断熱シートを介して面ヒーターが置かれるので、断熱シートによって面ヒーターの熱が設置面に伝わって逃げるのが防止される。また、面ヒーターの熱は断熱シートで反射されるので、面ヒーターの表面温度の低下が抑えられ、面状発熱体は設定温度を維持するための必要以上の発熱動作を行う必要がない。その結果、電力消費量が少なく、電気代が安価となる。
【００１０】
この考案の上記した構成において、前記面ヒーターは、典型的には、上下に重ねられた耐熱性を有する合成樹脂製の絶縁フィルム間に面状発熱体が設けられたものである。
【００１１】
また、前記断熱シートは、好ましくは、架橋発泡ポリエチレンなどの発泡材により構成される。架橋発泡ポリエチレンは、ポリエチレンに電子線を照射して、５〜５０倍まで加熱発泡させたシート状高発泡体であり、積水化学工業株式会社が製造する「ソフトロンＳ」（商標名）などが好適である。
【００１２】
この実施態様によると、発泡材は荷重を受けて圧縮変形するので、容器、鳥かご、水槽の下面や設置面に凹凸があっても、それを吸収し、容器等は安定支持される。また、面ヒーターに掛かる荷重に対して発泡材が圧縮変形するので、面ヒーターが集中荷重を受けて変形したり損傷したりするのを防止できる。
【００１３】
さらに、この考案による小動物等飼育用ヒーターは、前記面ヒーターおよび面ヒーターの下面に貼設された前記断熱シートが熱伝導性を有するケース体により覆われてなるものである。
【００１４】
上記した構成の小動物等飼育用ヒーターにおいては、面ヒーターおよび断熱シートがケース体内に収容されるので、面ヒーターおよび断熱シートが外力から保護され、耐久性が向上する。
【考案の効果】
【００１５】
この考案によれば、断熱シートによって面ヒーターの表面温度の低下が抑えられるので、電力消費量が少なくて済み、電気代が安価となる。
【図面の簡単な説明】
【００１６】
【図１】この考案の一実施例である小動物等飼育用ヒーターの構成を示す斜視図である。
【図２】図１の小動物等飼育用ヒーターのヒーター本体の外観を示す平面図である。
【図３】この考案の小動物等飼育用ヒーターの作用を説明するための図である。
【図４】小動物等飼育用ヒーターの使用例を示す図である。
【図５】小動物等飼育用ヒーターの他の使用例を示す図である。
【図６】この考案の他の実施例を示す正面図である。
【図７】従来例を示す平面図である。
【図８】従来例の作用を説明するための図である。
【考案を実施するための形態】
【００１７】
図１は、この考案の一実施例である小動物等飼育用ヒーター１の構成を示している。ここで、小動物等とは、ハムスターのような小形の哺乳類、トカゲのような小形の爬虫類などを総称し、小鳥、観賞魚なども含むものである。この小動物等飼育用ヒーター１は、図４および図５に示すように、小動物や小鳥を飼育するための飼育用のかご１０の内部や観賞魚を入れた水槽１１内の水を加温するために、床、台などの設置面Ｐとかご１０や水槽１１との間に介在させる。
【００１８】
図示例の小動物等飼育用ヒーター１は、ヒーター本体２と、耐熱性を有する断熱シート３とで構成されている。断熱シート３はヒーター本体２を構成する面ヒーター４の下面に全面にわたって貼設されている。面ヒーター４の下面への断熱シート３の貼設には、両面が粘着面となっている両面粘着テープが用いられるが、接着剤を用いてもよい。
【００１９】
ヒーター本体２は、図２に示すように、シート状の面ヒーター４に合成樹脂製のコネクター５を介して電源コード６が電気接続されたものである。同図中、７は電源コード６の先端に装着されたプラグであり、商用電源のコンセントに差し込まれる。この実施例のヒーター本体２は、設定温度が一定温度（例えば４５℃）に固定されているが、電源コード６の適所に温度調整つまみを有するコントローラを設けて、設定温度を変更できる構成としてもよい。
【００２０】
面ヒーター４は、全体が矩形状をなす絶縁シート２０のほぼ全域にわたって形成されている。絶縁シート２０は、上下に重ねられた耐熱性を有する合成樹脂製の絶縁フィルムにより構成され、絶縁フィルム間に加温のための矩形状の面状発熱体２２が設けられている。面状発熱体２２は、一方の絶縁フィルムの表面に導電性のカーボン粒子と可塑性のマトリクス樹脂とを主成分とするインキを用いて印刷することにより形成されている。この面状発熱体２２は、正の温度係数をもつもので、温度上昇に応じて電気抵抗が大きくなる特性、すなわち、ＰＴＣ特性を有している。
【００２１】
絶縁フィルムの表面にはさらに、面状発熱体２２の両側に沿った２本の直線電極２４ａ，２４ｂより成る第１の電極部２３と、面状発熱体２２を等分する位置に前記直線電極２４ａ，２４ｂと平行に配置される１本の直線電極２６より成る第２の電極部２５とが、それぞれ導電性インキを用いて印刷することにより形成されている。
面状発熱体２２および第１、第２の各電極部２３，２５の上面には他方の絶縁フィルムが被せられて２枚の絶縁フィルムが一体化されている。
【００２２】
コネクター５は、面ヒーター４の第１，第２の各電極部２３，２５と電源コード６とを接続するものであり、絶縁シート２０の一端縁にかしめ付けられている。コネクター５の内部には、図示しない温度制御回路中に配された温度フューズが組み込まれている。
【００２３】
前記断熱シート３は、架橋発泡ポリエチレンより成る発泡材により構成されている。この架橋発泡ポリエチレンは、ポリエチレンに電子線を照射して、５〜５０倍まで加熱発泡させたシート状高発泡体である。この発泡材として積水化学工業株式会社が製造する「ソフトロンＳ」（商標名）が好適であり、軽量であって耐熱性を有し、独立気泡のため耐水性、断熱性に優れ、また、弾力性に富んで緩衝性に優れている。この実施例の断熱シート３には厚みが３ｍｍの上記発泡材を用いているが、上記した諸特性を有効に発揮させるために、３ｍｍ以上、５ｍｍ以下の厚さに設定するのが望ましい。
【００２４】
なお、上記実施例の面ヒーター４は、面状発熱体２２としてＰＴＣ特性を有するものを用いているが、必ずしもそれに限られるものではない。また、上記実施例の面ヒーター４は、熱源として面状発熱体２２を用いたものであるが、ニクロム線を用いたものであってもよい。
【００２５】
上記した構成の小動物等飼育用ヒーター１においては、図３に示すように、設置面Ｐ上に断熱シート３を介して面ヒーター４が置かれるので、面ヒーター４の熱が設置面Ｐに伝わって逃げるのが防止される。また、面ヒーター４の熱は、図中、矢印で示すように、断熱シート３で反射されるので、面ヒーター４の表面温度の低下が抑えられ、面状発熱体２２は設定温度を維持するための必要以上の発熱動作を行う必要がない。その結果、電力消費量が少なくて済み、電気代が安価となる。
【００２６】
また、断熱シート３として、架橋発泡ポリエチレンなどの発泡体を用いているので、断熱シート３が荷重を受けて圧縮変形するもので、かご１０や水槽１１の下面や設置面Ｐに凹凸があっても、それを吸収し、かご１０や水槽１１が安定支持される。また、面ヒーター４に掛かる荷重に対して断熱シート３が圧縮変形するので、面ヒーター４が集中荷重を受けて変形したり損傷したりするのを防止できる。
【００２７】
なお、上記した実施例では、面ヒーター４およびその下面に貼設された断熱シート３は露出した状態にあるが、図６に示す実施例のように、面ヒーター４および断熱シート３を熱伝導性を有する合成樹脂製のケース体３０により覆うようにしてもよい。
この実施態様によると、面ヒーター４および断熱シート３がケース体３０内に収容されるので、面ヒーター４および断熱シート３が外力から保護され、耐久性が向上する。なお、図示例では、上ケース３１と下ケース３２とを開口縁を突き合わせることによりケース体３０を形成するが、ケース体３０はそのような構造のものに限定されるものではない。
【００２８】
〔実験例〕
上記した実施例の小動物等飼育用ヒーター１を厚さが１０ｍｍの木製台の上に置き、交流１００Ｖの電圧を印加して４時間連続して通電した後、消費電力を測定した。実験室の室温は２５℃〜２６℃、湿度は５０％に維持されている。面ヒーター４の寸法が１９６ｍｍ×２２７ｍｍのものでは、設置面上に面ヒーター４を直接置いたときは、消費電力が９．４Ｗｈであったのに対し、設置面と面ヒーター４の下面との間に厚みが３ｍｍの断熱シート３を介在させたときは、消費電力が８．１ｗｈであった。
【００２９】
また、同様の条件で、面ヒーター４の寸法が２４０ｍｍ×３１２ｍｍのものを用いた場合は、設置面上に面ヒーター４を直接置いたときは、消費電力が１６．５Ｗｈであったのに対し、設置面と面ヒーター４の下面との間に厚みが３ｍｍの断熱シート３を介在させたときは、消費電力が１４．２ｗｈであった。
【符号の説明】
【００３０】
１    小動物等飼育用ヒーター
２    ヒーター本体
３    断熱シート
４    面ヒーター
５    コネクター
６    電源コード
２２  面状発熱体
３０  ケース体
【図１】
0003193527.tif 000003
【図２】
0003193527.tif 000004
【図３】
0003193527.tif 000005
【図４】
0003193527.tif 000006
【図５】
0003193527.tif 000007
【図６】
0003193527.tif 000008
【図７】
0003193527.tif 000009
【図８】
0003193527.tif 000010